(57)【要約】【課題】  あらゆる種類のキャラクター等の装飾体を身の回りの電子機器や、バッグ等に対して着脱自在にすると共に、あらゆる種類のキャラクター等の装飾体を交換又は連接自在に構成した身の回り装飾品の連結体を提供する。【解決手段】  電子機器やバッグ等に取付けられた細紐の先端に雌型連結部材を取付け、該雌型連結部材に対して雄型連結部材を着脱自在とし、該雄型連結部材の芯材下端部に細紐を介してキャラクター等の装飾品を取付けて構成し、更に数種の取付け手段を設けた身の回り装飾品の連結体を提供する。【選択図】  図３
2006255371.tif 000002
【特許請求の範囲】
【請求項１】
電子機器やバッグ等に取付けられた細紐の先端に雌型連結部材を取付け、該雌型連結部材に対して雄型連結部材を着脱自在とし、該雄型連結部材の芯材下端部に細紐を介してキャラクター等の装飾品を取付けてなる身の回り装飾品の連結体。
【請求項２】
電子機器やバッグ等に取付けられた細紐の先端に雌型連結部材を取付け、該雌型連結部材に対して雄型連結部材を着脱自在とし、該雄型連結部材の芯材下端部に細紐を介してキャラクター等の装飾品を取付け、該装飾品の下端部に一体型雌型連結部を一体的に設け、雄型連結部材に取付けられた他のキャラクター等の装飾体を着脱自在に連接できるように構成したことを特徴とする身の回り装飾品の連結体。
【請求項３】
電子機器やバッグ等に取付けられた細紐の先端に雌型連結部材を取付け、該雌型連結部材に対して雄型連結部材を着脱自在とし、該雄型連結部材の芯材下端部に細紐を介してキャラクター等の装飾品を取付け、該装飾品の下端部に球体等のベース部材を一体的に形成し、該ベース部材に一体型雌型連結部を一体的に設け、雄型連結部材に取付けられた他のキャラクター等の装飾体を着脱自在に連接できるように構成したことを特徴とする身の回り装飾品の連結体。
【請求項４】
電子機器やバッグ等に取付けられた細紐の先端に雌型連結部材を取付け、該雌型連結部材に対して雄型連結部材を着脱自在とし、該雄型連結部材の芯材下端部の孔部に挿通されたリングとキャラクター等の装飾品の上部に捻じ込まれたヒートンとを連結してなる身の回り装飾品の連結体。
【請求項５】
電子機器やバッグ等に取付けられた細紐の先端に雌型連結部材を取付け、該雌型連結部材に対して雄型連結部材を着脱自在とし、該雄型連結部材の芯材下端部の孔部に挿通されたリングとキャラクター等の装飾品の上部に捻じ込まれたヒートンとを連結し、更に該装飾品の下端部に一体型雌型連結部を一体的に設け、雄型連結部材に取付けられた他のキャラクター等の装飾体を着脱自在に連接できるように構成したことを特徴とする身の回り装飾品の連結体。
【請求項６】
電子機器やバッグ等に取付けられた細紐の先端に雌型連結部材を取付け、雌型連結部材に対して雄型連結部材を着脱自在とし、該雄型連結部材の芯材下端部の孔部に挿通されたリングとキャラクター等の装飾品の上部に捻じ込まれたヒートンとを連結し、更に該装飾品の下端部に球体等のベース部材を一体的に形成し、該ベース部材に一体型雌型連結部を一体的に設け、雄型連結部材に取付けられた他のキャラクター等の装飾体を着脱自在に連接できるように構成したことを特徴とする身の回り装飾品の連結体。
【請求項７】
電子機器やバッグ等に取付けられた細紐の先端に雌型連結部材を取付け、雌型連結部材に対して雄型連結部材を着脱自在とし、該雄型連結部材の芯材下端部の孔部に挿通されたリングとキャラクター等の装飾品の上部に捻じ込まれたヒートンとを連結し、更に該装飾品の下端部に捻じ込まれたヒートンと該ヒートンに挿通されるリングと球体等のベース部材の上部に捻じ込まれたヒートンとを繋いで、該ベース部材に一体型雌型連結部を一体的に設け、雄型連結部材に取付けられた他のキャラクター等の装飾体を着脱自在に連接できるように構成したことを特徴とする身の回り装飾品の連結体。
【発明の詳細な説明】
【技術分野】
【０００１】  本発明は、身の回り装飾品の連結体に関し、特にあらゆる種類のキャラクター等の装飾体を身の回りの電子機器や、バッグ等に対して着脱自在にすると共に、あらゆる種類のキャラクター等の装飾体を交換又は連接自在に構成した身の回り装飾品の連結体に関する。
【背景技術】
【０００２】  従来、携帯電話用ストラップ等が種々考案されており、その連結構造の一例として、例えば実用新案登録第３０６９６２０号公報があるが、本件公報には携帯電話に取り付けられた細紐に直接キャラクターが連結されている構成が開示されている。【０００３】  また、登録実用新案公報第３０４３４４４号公報においても、携帯電話に取り付けられた細紐に直接キャラクターが連結されている構成が開示されている。【０００４】
【実用新案文献１】
実用新案登録第３０６９６２０号公報
【実用新案文献２】
登録実用新案第３０４３４４４号公報
【発明の開示】
【発明が解決しようとする課題】
【０００５】  上述した実用新案登録第３０６９６２０号公報に開示されている携帯電話用ストラップ等の連結部材では、携帯電話に取付けられた細紐に直接キャラクターが連結されているものであるから、このキャラクターを容易に任意のキャラクターに交換して取付けることができず、あらゆる装飾体を容易に交換や連接するには手間のかかるものであった。また、上述した登録実用新案第３０４３４４４号公報に開示されている携帯電話用ストラップでは、前記と同様に携帯電話に取付けられた細紐に直接キャラクターが連結されているものであるから、このキャラクターを容易に任意のキャラクターに交換して取付けることができず、ストラップ部材を引いてキャラクターの一部を可動的に構成したものである。
本発明はこのような事情に鑑みてなされたものであり、特にあらゆる種類のキャラクター等の装飾体を身の回りの電子機器や、バッグ等に対して着脱自在にすると共に、あらゆる種類のキャラクター等の装飾体を交換又は連接自在に構成した身の回り装飾品の連結体に関する。
【課題を解決するための手段】
【０００６】  このような目的に応えるための本発明は、電子機器やバッグ等に取付けられた細紐の先端に雌型連結部材を取付け、該雌型連結部材に対して雄型連結部材を着脱自在とし、該雄型連結部材の芯材下端部に細紐を介してキャラクター等の装飾品を取付けてなる構成を特徴とし、電子機器やバッグ等に取付けられた細紐の先端に雌型連結部材を取付け、該雌型連結部材に対して雄型連結部材を着脱自在とし、該雄型連結部材の芯材下端部に細紐を介してキャラクター等の装飾品を取付け、該装飾品の下端部に一体型雌型連結部を一体的に設け、雄型連結部材に取付けられた他のキャラクター等の装飾体を着脱自在に連接できるように構成したことを特徴とし、電子機器やバッグ等に取付けられた細紐の先端に雌型連結部材を取付け、該雌型連結部材に対して雄型連結部材を着脱自在とし、該雄型連結部材の芯材下端部に細紐を介してキャラクター等の装飾品を取付け、該装飾品の下端部に球体等のベース部材を一体的に形成し、該ベース部材に一体型雌型連結部を一体的に設け、雄型連結部材に取付けられた他のキャラクター等の装飾体を着脱自在に連接できるように構成したことを特徴とし、電子機器やバッグ等に取付けられた細紐の先端に雌型連結部材を取付け、該雌型連結部材に対して雄型連結部材を着脱自在とし、該雄型連結部材の芯材下端部の孔部に挿通されたリングとキャラクター等の装飾品の上部に捻じ込まれたヒートンとを連結してなる構成を特徴とし、電子機器やバッグ等に取付けられた細紐の先端に雌型連結部材を取付け、該雌型連結部材に対して雄型連結部材を着脱自在とし、該雄型連結部材の芯材下端部の孔部に挿通されたリングとキャラクター等の装飾品の上部に捻じ込まれたヒートンとを連結し、更に該装飾品の下端部に一体型雌型連結部を一体的に設け、雄型連結部材に取付けられた他のキャラクター等の装飾体を着脱自在に連接できるように構成したことを特徴とし、電子機器やバッグ等に取付けられた細紐の先端に雌型連結部材を取付け、雌型連結部材に対して雄型連結部材を着脱自在とし、該雄型連結部材の芯材下端部の孔部に挿通されたリングとキャラクター等の装飾品の上部に捻じ込まれたヒートンとを連結し、更に該装飾品の下端部に球体等のベース部材を一体的に形成し、該ベース部材に一体型雌型連結部を一体的に設け、雄型連結部材に取付けられた他のキャラクター等の装飾体を着脱自在に連接できるように構成したことを特徴とし、電子機器やバッグ等に取付けられた細紐の先端に雌型連結部材を取付け、雌型連結部材に対して雄型連結部材を着脱自在とし、該雄型連結部材の芯材下端部の孔部に挿通されたリングとキャラクター等の装飾品の上部に捻じ込まれたヒートンとを連結し、更に該装飾品の下端部に捻じ込まれたヒートンと該ヒートンに挿通されるリングと球体等のベース部材の上部に捻じ込まれたヒートンとを繋いで、該ベース部材に一体型雌型連結部を一体的に設け、雄型連結部材に取付けられた他のキャラクター等の装飾体を着脱自在に連接できるように構成したことを特徴とする身の回り装飾品の連結体を提供するものである。
【発明の効果】
【０００７】  本発明に係る身の回り装飾品の連結体によれば、特にあらゆる種類のキャラクター等の装飾体を身の回りの電子機器や、バッグ等に対して着脱自在にすると共に、あらゆる種類のキャラクター等の装飾体を交換又は連接自在に構成した身の回り装飾品を提供することができる。
【発明を実施するための最良の形態】
【０００８】  図面において、図１は本発明に係る身の回り装飾品の連結体の第１の実施例を示す全体正面図であり、図２は本発明に係る身の回り装飾品の連結体の第２の実施例を示す全体正面図であり、図３は本発明に係る身の回り装飾品の連結体の第３の実施例を示す全体正面図であり、図４は本発明に係る身の回り装飾品の連結体の第４の実施例を示す全体斜視図であり、図５は本発明に係る身の回り装飾品の連結体の第５の実施例を示す全体斜視図であり、図６は本発明に係る身の回り装飾品の連結体の第６の実施例を示す全体斜視図であり、図７は本発明に係る身の回り装飾品の連結体の第７の実施例を示す全体斜視図である【０００９】  図１に示す第１の実施例では、電子機器やバッグ等（図示せず）に取付けられた細紐１の先端に雌型連結部材２を取付け、該雌型連結部材２に対して雄型連結部材３を着脱自在とし、該雄型連結部材３の芯材３４の下端部に細紐３６を介してキャラクター等の装飾品を取付けてなる身の回り装飾品の連結体をしめしている。【００１０】  図２に示す第２の実施例では、電子機器やバッグ等に取付けられた細紐１の先端に雌型連結部材２を取付け、該雌型連結部材２に対して雄型連結部材３を着脱自在とし、該雄型連結部材３の芯材３４の下端部に細紐３６を介してキャラクター等の装飾品４を取付け、該装飾品４の下端部に一体型雌型連結部４１を一体的に設け、雄型連結部材に取付けられた他のキャラクター等の装飾体を着脱自在に連接できるように構成した身の回り装飾品の連結体を示している。【００１１】  図３に示す第３の実施例では、電子機器やバッグ等に取付けられた細紐１の先端に雌型連結部材２を取付け、該雌型連結部材２に対して雄型連結部材３を着脱自在とし、該雄型連結部材３の芯材３４の下端部に細紐３６を介してキャラクター等の装飾品４を取付け、該装飾品４の下端部に球体等のベース部材４２を一体的に形成し、該ベース部材４２に一体型雌型連結部４３を一体的に設け、雄型連結部材に取付けられた他のキャラクター等の装飾体を着脱自在に連接できるように構成した身の回り装飾品の連結体を示している。【００１２】  図１乃至図３に示す雌型連結部材２の内周には雄型連結部材３の段差部３２を受け入れる溝（図示せず）が設けられており、雄型連結部材３を容易に雌型連結部材２に挿入して嵌着することができ、雄型連結部材３が雌型連結部材２に嵌着された外観は後述する図４乃至図７において明白である。【００１３】  図４に示す第４の実施例では、電子機器やバッグ等に取付けられた細紐１の先端に雌型連結部材２を取付け、該雌型連結部材２に対して雄型連結部材３を嵌着し、該雄型連結部材３の芯材３４下端部の孔部３５に挿通されたリング５とキャラクター等の装飾品４の上部に捻じ込まれたヒートン５１とを連結してなる身の回り装飾品の連結体が示されている。【００１４】  図５に示す第５の実施例では、電子機器やバッグ等に取付けられた細紐１の先端に雌型連結部材２を取付け、該雌型連結部材２に対して雄型連結部材３を着脱自在とし、該雄型連結部材３の芯材３４下端部の孔部３５に挿通されたリング５とキャラクター等の装飾品４の上部に捻じ込まれたヒートン５１とを連結し、更に該装飾品４の下端部に���体型雌型連結部４１を一体的に設け、雄型連結部材に取付けられた他のキャラクター等の装飾体を着脱自在に連接できるように構成した身の回り装飾品の連結体が示されている。【００１５】  図６に示す第６の実施例では、電子機器やバッグ等に取付けられた細紐１の先端に雌型連結部材２を取付け、該雌型連結部材２に対して雄型連結部材３を着脱自在とし、該雄型連結部材３の芯材３４下端部の孔部３５に挿通されたリング５とキャラクター等の装飾品４の上部に捻じ込まれたヒートン５１とを連結し、更に該装飾品４の下端部に球体等のベース部材４２を一体的に形成し、該ベース部材４２に一体型雌型連結部４３を一体的に設け、雄型連結部材に取付けられた他のキャラクター等の装飾体を着脱自在に連接できるように構成した身の回り装飾品の連結体が示されている。【００１６】  図７に示す第７の実施例では、電子機器やバッグ等に取付けられた細紐１の先端に雌型連結部材２を取付け、該雌型連結部材２に対して雄型連結部材３を着脱自在とし、該雄型連結部材３の芯材３４下端部の孔部３５に挿通されたリング５とキャラクター等の装飾品４の上部に捻じ込まれたヒートン５１とを連結し、更に該装飾品４の下端部に捻じ込まれたヒートン５２と該ヒートン５２に挿通されるリング５０と球体等のベース部材４２の上部に捻じ込まれたヒートン５３とを繋いで、該ベース部材４２に一体型雌型連結部４３を一体的に設け、雄型連結部材に取付けられた他のキャラクター等の装飾体を着脱自在に連接できるように構成した身の回り装飾品の連結体が示されている。この場合、リング５０を省きヒートン５２とヒートン５３とを直接繋ぐことも可能である。
【図面の簡単な説明】
【００１７】
【図１】本発明に係る身の回り装飾品の連結体の第１の実施例を示す全体正面図である。
【図２】本発明に係る身の回り装飾品の連結体の第２の実施例を示す全体正面図である。
【図３】本発明に係る身の回り装飾品の連結体の第３の実施例を示す全体正面図である。
【図４】本発明に係る身の回り装飾品の連結体の第４の実施例を示す全体斜視図である。
【図５】本発明に係る身の回り装飾品の連結体の第５の実施例を示す全体斜視図である。
【図６】本発明に係る身の回り装飾品の連結体の第６の実施例を示す全体斜視図である。
【図７】本発明に係る身の回り装飾品の連結体の第７の実施例を示す全体斜視図である。
【符号の説明】
【００１８】  １．細紐
２．雌型連結部材
３．雄型連結部材
３１．弾性部
３２．段差部
３３．押圧部
３４．芯材
３５．孔部
３６．細紐
４．装飾品
４１．一体型雌型連結部材
４２．ベース部材
４３．一体型雌型連結部材
５．リング
５０．リング
５１．ヒートン
５２．ヒートン
５３．ヒートン
【図１】
2006255371.tif 000003
【図２】
2006255371.tif 000004
【図３】
2006255371.tif 000005
【図４】
2006255371.tif 000006
【図５】
2006255371.tif 000007
【図６】
2006255371.tif 000008
【図７】
2006255371.tif 000009